(57)【要約】【課題】洗浄作業者が、排水管の洗浄後に集合住宅の共用部において開閉手段を操作し、各家庭のトラップ内に容易に封水を補給できるようにする。【解決手段】本発明に係るトラップの封水補給装置は、集合住宅の住居内Ｓｐである専用部に設けられた排水管２４のトラップ２２に水道水を供給する給水配管１２と、前記集合住宅の住居外である共用部Ｓｃの位置で給水配管１２の流路を開閉する開閉手段１４とを有することを特徴とする。【選択図】　　　図１
2004003130.tif 000002
【特許請求の範囲】
【請求項１】
集合住宅の住居内である専用部に設けられた排水管のトラップに水道水を供給する給水配管と、
前記集合住宅の住居外である共用部の位置で前記給水配管の流路を開閉する開閉手段と、
を有することを特徴とするトラップの封水補給装置。
【請求項２】
請求項１に記載のトラップの封水補給装置であって、
給水配管には、その給水配管の流路を絞る絞り手段が設けられていることを特徴とするトラップの封水補給装置。
【請求項３】
請求項２に記載のトラップの封水補給装置であって、
開閉手段と絞り手段とを兼用するバルブを備えることを特徴とするトラップの封水補給装置。
【請求項４】
請求項１から請求項３のいずれかに記載のトラップの封水補給装置であって、
給水配管は、トラップが取付けられている生活器具に水道水を供給することを特徴とするトラップの封水補給装置。
【請求項５】
請求項１から請求項４のいずれかに記載のトラップの封水補給装置であって、
開閉手段は、集合住宅の住居外である共用部に設けられた排水管の掃除口の近傍に設置されていることを特徴とするトラップの封水補給装置。
【請求項６】
集合住宅の住居内である専用部に設けられた排水管のトラップに水道水を供給する給水配管と、
前記集合住宅の専用部において前記給水配管の流路を開閉する開閉手段と、
前記集合住宅の住居外である共用部の位置で前記開閉手段を遠隔操作する遠隔操作手段と、
を有することを特徴とするトラップの封水補給装置。
【請求項７】
請求項６に記載のトラップの封水補給装置であって、
給水配管として、流し台のディスポーザ用の給水管を使用するとともに、開閉手段として、前記ディスポーザの給水ユニットを使用することを特徴とするトラップの封水補給装置。
【請求項８】
請求項６又は請求項７のいずれかに記載のトラップの封水補給装置であって、
遠隔操作手段は、開閉手段を無線操縦可能なことを特徴とするトラップの封水補給装置。
【発明の詳細な説明】
【０００１】
【発明の属する技術分野】
本発明は、排水管の洗浄後に封水が除去されたトラップに封水を補給する装置に関する。
【０００２】
【従来の技術】
近年、マンション等の集合住宅では、図１１（Ａ）に示すように、各家庭の台所流し排水をその他の生活排水と分け、専用の台所流し排水横枝管１０１及び台所流し排水立て管１０３を使用して排水する傾向にある。台所流し排水横枝管１０１は、各家庭の住居内Ｓｐの床下又は床上に配管されており、その上流端がトラップ１０２を介して台所の流し台１０４に接続されている。また、台所流し排水横枝管１０１の下流端は、集合住宅の共用部Ｓｃ（住居外）において台所流し排水立て管１０３に接続されている。なお、台所流し排水立て管１０３を住居内Ｓｐに配管する例もあるが、近年は共用部Ｓｃに配管するのが一般的である。
【０００３】
台所流し排水には、食品の油脂分が含まれるため、図１１（Ｂ）に示すように、その油脂分が配管の内壁面に付着して管内を狭くするとともに、微生物群が繁殖し、それらが経年とともに角質化して詰まりの原因となる。
このため、図１１（Ｃ）に示すように、台所流し排水横枝管１０１と台所流し排水立て管１０３とを接続部する排水管継手１０６に掃除口１０７を設け、台所流し排水横枝管１０１と台所流し排水立て管１０３とを定期的に洗浄できるようにしている。
【０００４】
配管内の洗浄は、高圧給水ホース１１２の先端に固定された後方噴射式の洗浄ノズル１１０を使用して行われる。例えば、台所流し排水横枝管１０１内を洗浄する場合には、掃除口１０７から洗浄ノズル１１０を台所流し排水横枝管１０１内に挿入し、洗浄ノズル１１０から高圧水を斜め後方に放射状に噴射させながらその洗浄ノズル１１０を台所流し排水横枝管１０１の上流側に進入させる。これによって、台所流し排水横枝管１０１の内壁面に付着した油脂分等が下流側から順番に洗い落され、その洗い落された油脂分等が洗浄水と共に台所流し排水立て管１０３に流される。
【０００５】
【発明が解決しようとする課題】
上記したように、洗浄ノズル１１０から高圧水を斜め後方に放射状に噴射させながら台所流し排水横枝管１０１内の洗浄を行う方法では、台所流し排水横枝管１０１内に上流側から下流側に流れる強い気流が生じる。このため、前記気流によってトラップ１０２内の封水が下流側に流され、洗浄後はトラップ１０２内が空になる。トラップ１０２内が空になっても、速やかに流し台１０４を使用すれば、トラップ１０２に封水が補給されるため問題は生じない。しかし、トラップ１０２が空のままに放置されると、台所流し排水横枝管１０１及び台所流し排水立て管１０３から昇ってくる臭気が住居内に入り込んでしまうという不具合が生じる。なお、台所流し排水横枝管１０１の洗浄後に、洗浄作業者が各家庭を順番に訪れることも可能であるが、非常に手間が掛かり現実的でない。
【０００６】
本発明は、上記した問題点に鑑みなされたものであり、本発明が解決しようとする課題は、排水管の洗浄により空になったトラップに集合住宅の共用部から容易に封水を補給できるようにすることである。
【０００７】
【課題を解決するための手段】
上記した課題は、各請求項の発明によって解決される。
請求項１の発明は、集合住宅の住居内である専用部に設けられた排水管のトラップに水道水を供給する給水配管と、前記集合住宅の住居外である共用部の位置で前記給水配管の流路を開閉する開閉手段とを有する。
【０００８】
本発明によると、給水配管によって水道水をトラップに供給可能であり、さらに、その給水配管の流路の開閉手段が集合住宅の共用部に設置されている。このため、洗浄作業者は、排水管の洗浄後に集合住宅の共用部において開閉手段を操作し、各家庭のトラップ内に容易に封水を補給できるようになる。これによって、排水管の洗浄後、トラップ内の封水が空になることに起因して、排水管内の臭気が住居内に流入するようなトラブルが大幅に減少する。
【０００９】
また、請求項２に示すように、給水配管に、その給水配管の流路を絞る絞り手段を設けるようにすれば、開閉手段によって給水配管の流路が開かれても、水道水が高圧のまま前記トラップに供給される不具合がない。
また、請求項３に示すように、開閉手段と絞り手段とを兼用するバルブを備えることにより、設備コストを低減させることができる。
また、請求項４に示すように、給水配管からトラップが取付けられている生活器具に水道水を供給するようにしても、そのトラップに封水を補給することができる。ここで、生活器具とは、台所の流し台、洗面台、風呂、洗濯機等、排水を流す全ての器具を含むものとする。
また、請求項５に示すように、開閉手段を、集合住宅の住居外である共用部に設けられた排水管の掃除口の近傍に設置すれば、洗浄作業者が開閉手段をより一層操作し易くなる。
【００１０】
請求項６の発明は、集合住宅の住居内である専用部に設けられた排水管のトラップに水道水を供給する給水配管と、前記集合住宅の専用部において前記給水配管の流路を開閉する開閉手段と、前記集合住宅の住居外である共用部の位置で前記開閉手段を遠隔操作する遠隔操作手段とを有する。このため、洗浄作業者は、排水管の洗浄後に集合住宅の共用部において遠隔操作手段により開閉手段を操作し、各家庭のトラップ内に容易に封水を補給できるようになる。
また、請求項７に示すように、給水配管として、流し台のディスポーザ用の給水管を使用するとともに、開閉手段として、前記ディスポーザの給水ユニットを使用することにより、遠隔操作手段のみ増設すればトラップの封水補給装置を構成することができる。このため、設備コストの低減を図ることができる。
また、請求項８に示すように、開閉手段を無線操縦可能にすれば、無線周波数を特定値にセットすることにより、一台の送信機で複数箇所のトラップの封水補給を同時に行うことが可能になる。
【００１１】
【発明の実施の形態】
（実施形態１）
以下、図１から図６に基づいて本発明の実施形態１に係るトラップの封水補給装置の説明を行う。本実施形態に係るトラップの封水補給装置はマンション等の集合住宅における台所の流し台に設けられているトラップに封水を補給する装置である。ここで、図１は、トラップの封水補給装置の全体平面図等であり、図２は、台所流し排水横枝管を洗浄する様子を表す斜視図である。また、図３は、開閉手段、絞り手段等を表す側面図等、図４、図５、図６は台所の流し台回りの配管を表す側面図である。
【００１２】
先ず、トラップの封水補給装置１０の説明をする前に、台所流し排水系統の説明を行う。
例えば、図４等に示すように、台所の流し台２０は、トラップ２２及び立て短管２３を介して台所流し排水横枝管２４に接続されている。
トラップ２２は、図５に示すように、筒状のハウジング２２ｈを備えており、そのハウジング２２ｈの底部に小径短管２２ｐが同軸に固定されている。小径短管２２ｐは、ハウジング２２ｈの底部からそのハウジング２２ｈのほぼ中心位置まで突出している。また、ハウジング２２ｈの中央部分には小径短管２２ｐのほぼ上半分を覆うキャップ状の中径カバー２２ｃがその小径短管２２ｐと同軸に固定されている。これによって、トラップ２２の下部には、ハウジング２２ｈの内壁面、中径カバー２２ｃ及び小径短管２２ｐの外周面によって断面略「Ｕ」字形の水封部２２ｔが形成される。
【００１３】
ハウジング２２ｈの側壁には、後記する給水受け管１３が接続される接続孔２２ｍが形成されている。
また、ハウジング２２ｈ内には、中径カバー２２ｃよりも上側の位置に、流し排水中の食品クズ等を取り除くバスケット２２ｂが装着されている。
即ち、流し台２０の排水は、バスケット２２ｂを通過した後、中径カバー２２ｃの外側を流れてハウジング２２ｈの底部まで到達し、小径短管２２ｐと中径カバー２２ｃの間を上方に流れた後、その小径短管２２ｐによって排出される。このため、トラップ２２の水封部２２ｔ内には常に水が満たされている。
【００１４】
トラップ２２の小径短管２２ｐの下端部には配管受け口２２ｕが形成されており、この配管受け口２２ｕに立て短管２３（図４参照）の上端部が挿入される。これによって、トラップ２２と立て短管２３とが接続される。
【００１５】
立て短管２３の下端部は、前述のように、台所流し排水横枝管２４に接続されている。台所流し排水横枝管２４は、下流側が低くなるように、若干勾配を持たせた状態で集合住宅の床下又は床上に敷設されている。台所流し排水横枝管２４は、図１（Ａ）に示すように、住居内Ｓｐ（専用部）から共用部Ｓｃ（住居外）まで敷設され、共用部Ｓｃに設置された台所流し排水立て管２６に接続される。台所流し排水立て管２６と台所流し排水横枝管２４との接続は、一般的に、図２に示すように、Ｔ字形の排水管継手２８を使用して行われる。排水管継手２８には、台所流し排水横枝管２４等を洗浄する際に使用される掃除口２８ｃが設けられている。
即ち、台所流し排水横枝管２４が本発明の排水管に相当する。
【００１６】
台所流し排水には、前述のように、食品の油脂分が含まれるため、図１１（Ｂ）に示すように、その油脂分が配管の内壁面に付着して管内を狭くするとともに、微生物群が繁殖し、それらが経年とともに角質化して詰まりの原因となる。このため、台所流し排水横枝管２４等の洗浄は定期的に行われる。
前述のように、台所流し排水横枝管２４内の洗浄は、後方噴射式の洗浄ノズル１１０を使用して行われるため、台所流し排水横枝管２４内に上流側から下流側に流れる強い気流が生じる。このため、前記気流によってトラップ２２の水封部２２ｔ内の封水が下流側に流され、洗浄後はトラップ２２の水封部２２ｔ内が空になる。
本実施形態に係るトラップの封水補給装置１０は、空になったトラップ２２の水封部２２ｔに封水を補給する装置であり、次のように構成されている。
【００１７】
トラップの封水補給装置１０は、図１に示すように、トラップ２２に水道水を供給する給水配管１２及び給水受け管１３と、その給水配管１２の流路を開閉するバルブ１４と、給水配管１２の流路を絞る絞り機構１６とから構成されている。
給水配管１２は、台所流し排水横枝管２４に沿って専用部Ｓｐ（住居内）の流し台２０から共用部Ｓｃ（住居外）に設置された水道管３０の位置まで敷設されている。給水配管１２の下流側の端部は、図１（Ｂ）、図４に示すように、流し台２０の裏側で立ち上げられた後、上端部が下方に折り曲げられおり、その先端に下向きの開口１２ｅが形成されている。ここで、給水配管１２の開口１２ｅは、流し台２０のあふれ縁２０ｄ（図４　点線参照）よりも高い位置に位置決めされている。
【００１８】
また、給水配管１２の上流側の端部は、図１（Ｃ）に示すように、バルブ１４を介して水道管３０に接続されている。このため、バルブ１４を開くことで、給水配管１２の下流端の開口１２ｅから水道水を流出させることができる。
給水配管１２には、例えば、内径１３ｍｍのメッキ鋼管等が使用される。また、配管長が短い場合には、例えば、内径６ｍｍの銅管等を使用することも可能である。
【００１９】
給水配管１２の開口１２ｅの真下位置には、図４に示すように、その開口１２ｅから流れ出る水道水を受ける給水受け管１３が設置されている。
給水受け管１３は、縦管１３ｅと横管１３ｙとによって側面略「Ｌ」字形に形成されており、その縦管１３ｅの上端に給水配管からの給水を受けるホッパー部１３ｕが設けられている。また、給水受け管１３の横管１３ｙの端部が流し台２０のトラップ２２に設けられた接続孔２２ｍに接続されている。これにより、給水配管１２の開口１２ｅから流れ出た水道水は、給水受け管１３によってトラップ２２まで導かれる。
【００２０】
このように、流し台２０のあふれ縁２０ｄよりも高い位置にある給水配管１２の開口１２ｅから給水受け管１３に水道水を供給し、その給水受け管１３で水道水をトラップ２２に導く構造のため、仮に台所流し排水横枝管２４が詰まった場合でも、排水が給水配管１２側に逆流するようなトラブルが生じない。
給水受け管１３には、給水配管１２よりも大径のメッキ鋼管等を使用するのが好ましいが、フレキシブルチューブ等を使用することも可能である。
即ち、給水配管１２と給水受け管１３とが本発明の給水配管に相当する。
【００２１】
給水配管１２の流路を開閉するバルブ１４は、共用部Ｓｃ（住居外）に設置された排水管継手２８の掃除口２８ｃの近傍に配置される。このため、洗浄作業者が洗浄作業後、容易にバルブ１４を操作できるようになる。
バルブ１４は、給水配管１２の流路を開閉するとともに、その給水配管１２の流路を絞る働きもする。このため、バルブ１４の流路が予め決められた開度以上に開かないように、そのバルブ１４には、図３（Ａ）（Ｂ）に示すように、開度ストッパ１４ｋが設けられている。なお、図３（Ａ）はバルブ１４の側面図であり、図３（Ｂ）はバルブ１４の平面図（Ａ図のＢ−Ｂ矢視図）である。
【００２２】
バルブ１４の開度ストッパ１４ｋは、スピンドル１４ｓの側面から半径方向に突出する横レバー１４ｒと、バルブハウジング１４ｈに固定されたストッパ縦ピン１４ｐとから構成されている。ストッパ縦ピン１４ｐは、例えば、スピンドル１４ｓが全閉位置から約３０°〜６０°回転した位置で横レバー１４ｒが当接する位置に形成されている。このように、バルブ１４で流路を絞ることができるため、水道水は圧力が弱められた状態で流し台２０のトラップ２２に供給される。
【００２３】
また、バルブ１４のハンドル１４ｘは、スピンドル１４ｓから取外し可能に構成されている。このため、台所流し排水横枝管２４等の洗浄時以外は、ハンドル１４ｘをバルブ１４から外しておくことで、そのバルブ１４が不用意に開かれるようなトラブルを防止できる。
即ち、バルブ１４が本発明の開閉手段及び絞り手段に相当する。
【００２４】
給水配管１２には、バルブ１４とは別にその給水配管１２の流路を絞る絞り機構１６（図１（Ｃ）、図３（Ｃ）参照）が設けられている。
絞り機構１６は、給水配管１２の途中にシールリング１６ｓを介して挟み込まれるオリフィス１６ｆとユニオン１６ｙとから構成されている。オリフィス１６ｆは薄い円板であり中央に絞り孔１６ｈが形成されている。
【００２５】
ユニオン１６ｙは、軸方向に摺動可能な状態で一方の給水配管１２側に装着された雄ねじ部材１６ｍと、同じく軸方向に摺動可能な状態で他方の給水配管１２側に装着された雌ねじ部材１６ｗとから構成されている。ユニオン１６ｙの雄ねじ部材１６ｍと雌ねじ部材１６ｗとは、互いに螺合されることにより、オリフィス１６ｆ、シールリング１６ｓ及び両側の給水配管１２のフランジ部１２ｆを同軸に保持して、軸方向両側から挟持する働きをする。即ち、ユニオン１６ｙによって、一方の給水配管１２と他方の給水配管１２とはオリフィス１６ｆ等を挟んだ状態で水密に接続される。
このように、絞り機構１６が本発明の絞り手段に相当する。なお、絞り機構１６は、バルブ１４の上流側に設けることも可能である。
【００２６】
なお、本実施形態では、バルブ１４に開度ストッパ１４ｋを設け、さらに絞り機構１６を設ける例を示したが、バルブ１４に開度ストッパ１４ｋを設ける場合には絞り機構１６を省略することが可能である。逆に、絞り機構１６を設ける場合には、バルブ１４の開度ストッパ１４ｋを省略することが可能である。
また、絞り機構１６の代わりに、例えば、減圧弁等を取付けて減圧することも可能である。
【００２７】
このように、本実施形態によると、水道管３０とトラップ２２とが給水配管１２と給水受け管１３とを介して接続されており、その給水配管１２の流路を開閉するバルブ１４が集合住宅の共用部Ｓｃに設置されている。このため、洗浄作業者は、排水管の洗浄後に集合住宅の共用部Ｓｃにおいてバルブ１４を操作し、各家庭のトラップ２２内に容易に封水を補給できるようになる。したがって、台所流し排水横枝管２４の洗浄後、トラップ２２の水封部２２ｔ内の封水が空になることに起因して、排水管内の臭気が住居内に流入するようなトラブルが大幅に減少する。
【００２８】
また、給水配管１２に絞り手段が設けられているため、バルブ１４によって給水配管１２の流路が開かれても、水道水が高圧のままトラップ２２に供給される不具合が生じない。
また、バルブ１４に開度ストッパ１４ｋを設け、そのバルブ１４で給水配管１２の流路の開閉と絞りとを兼用するようにすれば、設備コストを低減させることができる。
【００２９】
なお、本実施形態に係るトラップの封水補給装置１０では、給水受け管１３をトラップ２２に直接的に接続する例を示したが、図６（Ａ）に示すように、給水受け管１３を流し台２０に接続することも可能である。これによって、流し台２０を介してトラップ２２の水封部２２ｔに封水を補給することができる。
また、本実施形態では、給水配管１２から流出する水道水を給水受け管１３で受け、その給水受け管１３を介してトラップ２２に供給する例を示したが、給水配管１２の途中に逆流防止機構を設ければ、給水配管１２を直接的にトラップ２２等に接続することも可能である。
また、本実施形態では、トラップ２２の水封部２２ｔに封水を補給する例を示したが、例えば、図６（Ｂ）に示すように、バスケット４２とトラップ４４とが別体型の場合にも、そのトラップ４４に封水を補給することが可能である。
【００３０】
（実施形態２）
以下、図７、図８に基づいて本発明の実施形態２に係るトラップの封水補給装置の説明を行う。本実施形態に係るトラップの封水補給装置は、流し台に設置されたディスポーザを共用部から遠隔制御することにより、トラップに封水を補給できるようにしたものである。ここで、図７（Ａ）は配管及び配線敷設側面図であり、図７（Ｂ）はディスポーザを模式的に表す部分破断斜視図である。また、図８はディスポーザの給水制御を表すフローチャートである。
【００３１】
トラップの封水補給装置５０は、封水補給スイッチ５５と、その封水補給スイッチ５５の電気信号をディスポーザ５２の制御パネル５４まで伝送する電気配線５６とを備えている。封水補給スイッチ５５は、屋外設置型のボックス内に収納されて、共用部Ｓｃに設けられた排水管継手２８の掃除口２８ｃの近傍に設置されている。なお、前記ボックスは、封水補給スイッチ５５が不用意に操作されるのを防止するためにも、鍵付のものが好ましい。
電気配線５６は、一般的に、台所流し排水横枝管２４に沿って封水補給スイッチ５５からディスポーザ５２の制御パネル５４まで配線される。しかし、電気配線５６の経路は、他の電気配線との関係に応じて適宜変更可能である。
【００３２】
ディスポーザ５２と制御パネル５４とは専用の電気配線５４ｅによって電気的に接続されている。また、ディスポーザ５２には、水道管３０から分岐された給水管５３が遮断弁５３ｖを介して接続されている。
給水管５３は、図７（Ｂ）に示すように、ディスポーザ５２の給水ユニット５３ｙの入口に接続されている。給水ユニット５３ｙは、制御パネル５４からの電気信号を受けて開閉するバルブであり、その給水ユニット５３ｙの出口にディスポーザ５２の粉砕室５２ｔと連通する出側給水管５３ｆが接続されている。
ディスポーザ５２の粉砕室５２ｔ内には、回転式の生ゴミ粉砕機５２ｃが設置されており、この生ゴミ粉砕機５２ｃが制御パネル５４からの電気信号に基づいて駆動される。また、ディスポーザ５２の粉砕室５２ｔの排出口（図示されていない）にはトラップ４４が接続されている。
【００３３】
次に、図８に基づいてディスポーザ５２によるトラップ４４の封水補給手順について説明する。
先ず、ディスポーザ５２を運転する場合には、ディスポーザ５２の生ゴミ投入口５２ｘ（図７（Ｂ）参照）に生ゴミを投入した状態で、制御パネル５４のディスポーザ運転ＳＷ（図示されていない）をオンする（ステップ１０１参照）。ディスポーザ５２が自動運転の場合には、生ゴミの粉砕工程に合わせて給水ユニット５３ｙが開動作し、そのディスポーザ５２の粉砕室５２ｔ内に給水管５３及び出側給水管５３ｆ等によって水道水が供給される（ステップ１０３参照）。これによって、粉砕された生ゴミが順次水によってディスポーザ５２の排出口から排出される。ディスポーザ５２から排出された生ゴミは、図７（Ａ）に示すトラップ４４、立て短管２３及び台所流し排水横枝管２４を介して共用部Ｓｃに設置された台所流し排水立て管２６に排出される。
【００３４】
このようにして生ゴミが粉砕され、粉砕された生ゴミがディスポーザ５２から排出された後も、一定時間継続してディスポーザ５２の粉砕室５２ｔ内に水道水が供給される。これによって、ディスポーザ５２の排出口から流れ出る排水により、トラップ４４内には水が満たされる。この状態で、給水ユニット５３ｙが閉動作し、ディスポーザ５２に対する給水が停止する（ステップ１０５、ステップ１０７参照）。
なお、ディスポーザ５２を手動運転させる場合にも、制御パネル５４の給水ＳＷをオンしてから粉砕ＳＷをオンし、生ゴミの粉砕後、粉砕ＳＷをオフしてから給水ＳＷをオフするため、トラップ４４内の封水は確保される。
【００３５】
次に、台所流し排水横枝管２４等を洗浄することで、トラップ４４内が空になった場合の封水補給方法について説明する。
台所流し排水横枝管２４等の洗浄が終了すると、洗浄作業者は、共用部Ｓｃに設置された前記ボックスを開き、封水補給スイッチ５５（図７（Ａ）参照）をオンする（ステップ１０２参照）。封水補給スイッチ５５がオンされると、その信号が制御パネル５４に入力され、給水ユニット５３ｙが開動作する。これによって、ディスポーザ５２の粉砕室５２ｔ内に水道水が供給される（ステップ１０４参照）。ディスポーザ５２の粉砕室５２ｔ内に流入した水は、そのままディスポーザ５２の排出口から排出され、トラップ４４内に流入する。そして、封水補給スイッチ５５がオンされてから一定時間（Ｔ秒）が経過した後、給水ユニット５３ｙが閉じられ、ディスポーザ５２に対する給水が停止する（ステップ１０６、ステップ１０７参照）。
【００３６】
ここで、ディスポーザ５２に対する給水時間は、制御パネル５４内に設けられたタイマによって予め決められた範囲内で調整可能となっている。なお、タイマを使用せずに、封水補給スイッチ５５を押している間だけ連続して給水を行える方式にすることも可能である。
即ち、給水ユニット５３ｙが本発明の開閉手段に相当し、封水補給スイッチ５５、制御パネル５４等が本発明の遠隔操作手段に相当する。
【００３７】
このように、本実施形態に係るトラップの封水補給装置５０によっても、洗浄作業者は、排水管の洗浄後に集合住宅の共用部Ｓｃにおいて封水補給スイッチ５５を操作するだけで、各家庭のトラップ４４内に封水を補給できるようになる。
また、給水配管としてディスポーザ５２用の給水管５３等を使用するとともに、開閉手段としてディスポーザ５２の給水ユニット５３ｙを使用するため、実施形態１に示す給水配管１２、開閉手段１４（バルブ１４）を特別に設ける必要がなくなり、設備コストの低減を図ることができる。
【００３８】
ここで、本実施形態では、封水補給スイッチ５５の信号を電気配線でディスポーザ５２の制御パネル５４まで導いて、そのディスポーザ５２の給水ユニット５３ｙを遠隔制御する例を示したが、図９に示すように、ディスポーザ５２の給水ユニット５３ｙを無線操縦することも可能である。
即ち、制御パネル５４に無線受信機を装着し、その無線受信機の出力信号を制御パネル５４の電気回路に入力することで、給水ユニット５３ｙを動作させる。このようにすれば、洗浄作業者等が集合住宅の共用部Ｓｃの位置で無線送信機５４ｈを操作することで、ディスポーザ５２の給水ユニット５３ｙを遠隔操作することができる。なお、無線送信機５４ｈと複数の前記無線受信機とを同一周波数にセットしておけば、一台の無線送信機５４ｈにより複数箇所のディスポーザ５２の給水ユニット５３ｙを同時に操作することが可能になる。
（実施形態３）
以下、図１０に基づいて本発明の実施形態３に係るトラップの封水補給装置の説明を行う。本実施形態に係るトラップの封水補給装置は、流し台の近傍に設置された封水弁を共用部で遠隔制御することにより、トラップに封水を補給できるようにしたものである。ここで、図１０（Ａ）は配管及び配線敷設側面図であり、図１０（Ｂ）は封水弁制御パネルの電気回路図である。
【００３９】
トラップの封水補給装置６０は、水道水を流し台２０に供給する給水配管６２と、給水配管６２の流路を開閉する封水弁６２ｖと、前記流路を絞るオリフィス６２ｆと、封水弁６２ｖを動作させる封水弁制御パネル６４とを備えている。
給水配管６２は、水道水を流し台２０に供給する配管であり、流し台２０の蛇口２０ｙの近傍で水道管３０から分岐されている。そして、給水配管６２の下流端が流し台２０の上方で開放されている。ここで、給水配管６２の敷設位置は、流し台２０のあふれ縁２０ｄよりも高い位置に設定されている。
【００４０】
給水配管６２には、その給水配管６２の流路を開閉する封水弁６２ｖが取付けられており、その封水弁６２ｖの下流側にその給水配管６２の流路を絞るオリフィス６２ｆが取付けられている。なお、オリフィス６２ｆを封水弁６２ｖの上流側に設けることも可能である。封水弁６２ｖは電磁式の開閉弁であり、電磁コイルに通電されることで流路を開き、通電が解除された段階で流路を閉じる構成である。また、オリフィス６２ｆは、実施形態１で説明したオリフィス１６ｆと同じ構造のものである。
【００４１】
封水弁制御パネル６４は、封水弁６２ｖの制御回路Ｅが内蔵された屋外設置型のパネルであり、共用部Ｓｃに設けられた排水管継手２８の掃除口２８ｃの近傍に設置されている。
封水弁６２ｖの制御回路Ｅは、例えば、図１０（Ｂ）に示すように、封水弁開スイッチ６５、リレーＲｃ，Ｒ１，Ｒ２及び封水弁開ランプ６４ｅ等から構成されている。そして、前記制御回路Ｅと封水弁６２ｖとが電気配線６７によって電気的に接続されている。
【００４２】
制御回路Ｅの封水弁開スイッチ６５がオン操作されると、図１０（Ｂ）に示すリレーのコイルＲｃが通電される。コイルＲｃが通電されると、リレーの接点Ｒ１，Ｒ２がオンし、封水弁６２ｖの電磁コイルと封水弁開ランプ６４ｅとが通電される。これによって、封水弁６２ｖの流路が開かれるとともに、封水弁開ランプ６４ｅが点灯する。このため、封水弁６２ｖの開閉状態を封水弁制御パネル６４で監視できるようになる。
封水弁開スイッチ６５から手を離すと、コイルＲｃの通電が解除され、リレーの接点Ｒ１，Ｒ２がオフする。これによって、封水弁６２ｖの電磁コイルと封水弁開ランプ６４ｅとの通電が解除され、封水弁６２ｖの流路が閉じられるとともに、封水弁開ランプ６４ｅが消灯する。
【００４３】
即ち、上記した制御回路Ｅによると、封水弁開スイッチ６５を押している間だけ、封水弁６２ｖの流路が開かれるとともに、封水弁開ランプ６４ｅが点灯する。なお、制御回路Ｅにタイマ等を設け、封水弁開スイッチ６５を押したタイミングからＴ秒後に自動的に封水弁６２ｖの流路を閉じるように構成することも可能である。
即ち、封水弁６２ｖが本発明の開閉手段に相当し、制御回路Ｅ等が本発明の遠隔操作手段に相当する。
【００４４】
洗浄作業者が排水管の洗浄後に封水弁制御パネル６４の封水弁開スイッチ６５をオンすると、封水弁６２ｖが開かれ、水道水が給水配管６２によって流し台２０に供給される。ここで、給水配管６２にはオリフィス６２ｆが設けられているため、水道水は減圧された状態で流し台２０に供給される。なお、オリフィス６２ｆの代わりに減圧弁等を使用することも可能である。
流し台２０に供給された水道水はディスポーザ５２を介してトラップ４４に流入する。これによって、トラップ４４内が水道水に満たされるようになる。
【００４５】
このように、本実施形態に係るトラップの封水補給装置６０によっても、洗浄作業者は、排水管の洗浄後に集合住宅の共用部Ｓｃにおいて各家庭のトラップ４４内に封水を補給できるようになる。
また、給水配管６２は流し台２０の回りに敷設されるため、実施形態１に示す給水配管１２と比較して給水配管６２を十分短くできる。
また、封水弁制御パネル６４は集合住宅の共用部Ｓｃに設けられており、制御回路Ｅの電源は各家庭用（専用部Ｓｐ内）の電源とは別電源である。このため、例えば、長期出張等で専用部Ｓｐ内の電源ブレーカがオフにされている状態でも、封水弁６２ｖを確実に動作させることができる。
【００４６】
なお、実施形態２に示すように、封水弁６２ｖを無線操縦することも可能である。ここで、封水弁６２ｖを無線操縦する際の無線送信機５４ｈの操作は、洗浄作業者が忘れる場合を考慮して、管理組合の責任で行うようにしても良い。
また、無線操縦は、昨今の日進月歩の様々な通信先端技術を駆使して行うことが可能である。
なお、実施形態１〜実施形態３は、トラップの封水補給装置１０，５０，６０により台所の流し台２０のトラップ２２，４４に封水を補給する例について説明したが、実施形態１、実施形態３のトラップの封水補給装置１０，６０により、流し台２０以外の生活器具、例えば、洗面台等のトラップに封水を補給することも可能である。
【００４７】
【発明の効果】
本発明によると、集合住宅の共用部において各家庭のトラップに水道水を容易に給水することができるため、トラップ内の封水が空になることにより排水管内の臭気が住居内に流入するようなトラブルが減少する。
【図面の簡単な説明】
【図１】本発明の実施形態１に係るトラップの封水補給装置の全体平面図（Ａ図）、流し台近傍の平面図（Ａ図のＢ部拡大図）（Ｂ図）及び台所流し排水立て管近傍の平面図（Ａ図のＣ部拡大図）（Ｃ図）である。
【図２】台所流し排水横枝管を洗浄する様子を表す斜視図である。
【図３】バルブの側面図（Ａ図）、バルブの平面図（Ａ図のＢ−Ｂ矢視図）（Ｂ図）及び絞り機構の分解縦断面図（Ｃ図）である。
【図４】台所の流し台回りの配管側面図である。
【図５】トラップの縦断面図である。
【図６】台所の流し台回りの配管変更例を表す側面図（Ａ図）及び流し台の変更例を表す正面図（Ｂ図）である。
【図７】本発明の実施形態２に係るトラップの封水補給装置の配管及び配線敷設側面図（Ａ図）及びディスポーザを模式的に表す部分破断斜視図（Ｂ図）である。
【図８】ディスポーザの給水制御を表すフローチャートである。
【図９】トラップの封水補給装置の変更例を表す配管及び配線敷設側面図である。
【図１０】本発明の実施形態３に係るトラップの封水補給装置の配管及び配線敷設側面図（Ａ図）、封水弁制御パネルの制御回路図（Ｂ図）である。
【図１１】集合住宅の台所流し排水系統の一例を表す模式図（Ａ図）、台所流し排水横枝管の油脂分の付着状態を表す模式図（Ｂ図）及び台所流し排水横枝管の洗浄状態を表す斜視図（Ｃ図）である。
【符号の説明】
Ｓｐ　　集合住宅の住居内（専用部）
Ｓｃ　　集合住宅の共用部
１２　　給水配管
１４　　バルブ（開閉手段、絞り手段）
１６　　絞り機構（絞り手段）
２２　　トラップ
２２ｔ　水封部
２４　　台所流し排水横枝管（排水管）
２８　　排水管継手
２８ｃ　掃除口
３０　　水道管
４４　　トラップ
５２　　ディスポーザ
５３　　給水管
５４ｈ　無線送信機
５５　　封水補給スイッチ
６２　　給水配管
６２ｖ　封水弁（開閉手段）
６２ｆ　オリフィス（絞り手段）
６４　　封水弁制御パネル（遠隔操作手段）
６５　　封水弁開スイッチ（遠隔操作手段）
【図１】
2004003130.tif 000003
【図２】
2004003130.tif 000004
【図３】
2004003130.tif 000005
【図４】
2004003130.tif 000006
【図５】
2004003130.tif 000007
【図６】
2004003130.tif 000008
【図７】
2004003130.tif 000009
【図８】
2004003130.tif 000010
【図９】
2004003130.tif 000011
【図１０】
2004003130.tif 000012
【図１１】
2004003130.tif 000013